(57)【要約】  例示的な一実施形態において、血管内装置は、近位端部及び遠位端部を有し、且つ血管の中への挿入のための大きさである中空シャフトを含んでもよい。血管内装置はまた、近位端部及び遠位端部を有し、且つ中空シャフトを通って延伸する制御ラインを含んでもよい。血管内装置はまた、中空シャフトの遠位端部を超えて位置付けられ、且つ制御ラインの遠位端部を介して伝達される作動力を受けるように構成された作動可能な作業要素を含んでもよい。血管内装置は更に、制御ラインの近位端部に作動力を働かせ、それによって制御ラインと中空シャフトとの間に相対運動を生じさせ、且つ作業要素を作動させるように構成されたアクチュエータを含んでもよい。血管内装置はまた、制御ラインと一体であって、且つ中空シャフト内に位置付けられた少なくとも１つの制御ライン回転制限器と、中空シャフト及び作業要素のうちの少なくとも一方に関連し、且つ制御ライン回転制限器と係合し、それによって制御ラインと中空シャフトとの間の相対軸線方向運動を可能にする一方で、制御ラインが作業要素に対して回転することを実質的に妨げるように構成された少なくとも１つの回転制限要素と含んでもよい。
2019528965.tif 000002
【特許請求の範囲】
【請求項１】
血管内装置であって、
近位端部及び遠位端部を有する中空シャフトであって、血管の中への挿入のための大きさである中空シャフトと、
近位端部及び遠位端部を有し、且つ前記中空シャフトを通って延伸する制御ラインと、
前記中空シャフトの遠位端部を超えて位置付けられ、且つ前記制御ラインの遠位端部を介して伝達される作動力を受けるように構成された作動可能な作業要素と、
前記制御ラインの近位端部に前記作動力を働かせ、それによって前記制御ラインと前記中空シャフトとの間に相対運動を生じさせ、且つ前記作業要素を作動させるように構成されたアクチュエータと、
前記制御ラインと一体であって、且つ前記中空シャフト内に位置付けられた少なくとも１つの制御ライン回転制限器と、
前記中空シャフト及び前記作業要素のうちの少なくとも一方に関連する少なくとも１つの回転制限要素であって、前記制御ライン回転制限器と係合し、それによって前記制御ラインと前記中空シャフトとの間の相対軸線方向運動を可能にする一方で、前記制御ラインが前記作業要素に対して回転することを実質的に妨げるように構成された少なくとも１つの回転制限要素と
を備える血管内装置。
【請求項２】
前記少なくとも１つの制御ライン回転制限器は、前記制御ラインの少なくとも１つの変形部を含む、請求項１に記載の血管内装置。
【請求項３】
前記少なくとも１つの変形部は、前記制御ラインの少なくとも１つの平坦化部分を含む、請求項２に記載の血管内装置。
【請求項４】
前記制御ラインは、前記少なくとも１つの変形部に隣接する丸形断面の領域を含む、請求項３に記載の血管内装置。
【請求項５】
前記中空シャフトは、少なくとも１本の巻きワイヤから形成されている、請求項１に記載の血管内装置。
【請求項６】
前記中空シャフトは、複数のワイヤから形成されたケーブルを含む、請求項１に記載の血管内装置。
【請求項７】
前記作業要素は、前記中空シャフトの遠位端部を超えてコイル状ワイヤ部分から形成された屈曲可能な先端を含む、請求項１に記載の血管内装置。
【請求項８】
前記コイル状ワイヤ部分は、前記中空シャフトの可撓性より大きい可撓性を有する、請求項７に記載の血管内装置。
【請求項９】
前記アクチュエータは制御ハンドルを含み、前記制御ハンドルは、前記作業要素における回転力に対して前記制御ハンドルに働く回転力を約１：１の比率で伝達するように構成されている、請求項１に記載の血管内装置。
【請求項１０】
前記少なくとも１つの回転制限要素は、前記中空シャフト及び前記作業要素のうちの少なくとも１つ内に少なくとも１つの材料の堆積物を含み、前記材料の堆積物は、前記中空シャフト及び前記作業要素のうちの少なくとも１つにおけるチャネルの一部を狭める、請求項１に記載の血管内装置。
【請求項１１】
前記材料の堆積物はポリマーである、請求項１０に記載の血管内装置。
【請求項１２】
前記少なくとも１つの回転制限要素は、前記中空シャフトにおいて第１の回転制限要素と、前記作業要素のチャネルにおいて第２の回転制限要素とを含む、請求項１０に記載の血管内装置。
【請求項１３】
前記少なくとも１つの回転制限要素は、前記中空シャフトにおいて第１の回転制限要素と、前記コイル状ワイヤ部分において第２の回転制限要素とを含む、請求項８に記載の血管内装置。
【請求項１４】
前記制御ハンドルは、前記制御ラインの牽引を可能にし、それによって前記制御ハンドルが回転する場合に、前記コイル状部分を屈曲させ、且つ前記屈曲されたコイル状部分に回転トルクを伝達するように構成されている、請求項９に記載の血管内装置。
【請求項１５】
前記制御ライン回転制限器及び前記回転制限要素はそれぞれ、軸線方向に互いに対して運動させた場合に、前記制御ライン回転制限器及び前記回転制限要素が係合した状態であるような軸線方向長さを有する、請求項１に記載の血管内装置。
【請求項１６】
ユーザが前記遠位先端と前記制御ラインとの間の加えられた相対回転力を前記制御ハンドルに働かせることを可能にするように構成され、前記制御ライン回転制限器及び前記回転制限要素は、前記制御ライン回転制限器と前記回転制限要素との間の実質的な滑りなしに前記加えられた力を前記作業要素に伝達するように構成されている、請求項９に記載の血管内装置。
【請求項１７】
前記中空シャフトは、中空金属チューブを含み、前記作業要素は、前記中空金属チューブより遠位にあるコイル状ワイヤを含む、請求項１に記載の血管内装置。
【請求項１８】
前記中空シャフトは、ポリマーチューブを含み、前記作業要素は、前記ポリマーチューブより遠位にあるコイル状ワイヤを含む、請求項１に記載の血管内装置。
【請求項１９】
前記制御ラインは、単一ワイヤから形成され、前記少なくとも１つの制御ライン回転制限器は、前記単一ワイヤの断面積において少なくとも１つの変形部を含む、請求項１に記載の血管内装置。
【請求項２０】
前記少なくとも１つの制御ライン回転制限器は、前記中空シャフト内の前記制御ラインの細長い領域において少なくとも第１の変形部と、前記作業要素の細長い領域において前記制御ラインの少なくとも第２の変形部とを含む、請求項１９に記載の血管内装置。
【請求項２１】
血管内装置であって、
近位端部及び遠位端部を有する中空シャフトであって、血管の中への挿入のための大きさであって、前記中空シャフトの第１の可撓性に寄与する少なくとも１本の巻きワイヤから形成されている中空シャフトと、
前記中空シャフトの遠位端部を超えて位置付けられた作動可能な作業要素であって、前記中空シャフトの螺旋構成とは異なる螺旋構成を有し、且つ前記作業要素の第２の可撓性に寄与する少なくとも１本の巻きワイヤで構成されている作業要素と、
近位端部及び遠位端部を有し、且つ前記中空シャフトを通って延伸する制御ラインであって、前記制御ラインの遠位端部において前記作業要素に接続された制御ラインと
を備える血管内装置であって、
前記第１の可撓性は、前記第２の可撓性より低く、前記第１の可撓性及び前記第２の可撓性は、作業力が前記制御ラインに加えられた場合に、前記中空シャフトの前記ワイヤが屈曲に抵抗するように構成される一方で、前記作業要素の前記ワイヤが屈曲するように構成されるように選択されている、血管内装置。
【請求項２２】
前記中空シャフトは、ケーブル状に配列された複数のワイヤから形成され、前記作業要素は、コイル状に配列された単一ワイヤから形成されている、請求項２１に記載の血管内装置。
【請求項２３】
前記単一ワイヤのコイルは、前記マルチワイヤケーブルに接続され、それから遠位に延伸する、請求項２２に記載の血管内装置。
【発明の詳細な説明】
【技術分野】
【０００１】
本願は、２０１６年９月２９日に出願された米国仮特許出願第６２／４０１，３８７号からの優先権の利益を主張し、その開示はその全体が参照により本明細書に組み込まれる。
【０００２】
本開示は、概して血管内装置に関する。
【発明の概要】
【課題を解決するための手段】
【０００３】
血管内装置は、その遠位端部において作業要素に接続された中空の細長いシャフトと、作業要素の遠位先端に接続されてもよい細長い制御要素とを含んでもよい。制御ワイヤは、制御ワイヤと作業要素とシャフトとの間に相対軸線方向運動を作り出すことができる近位アクチュエータに接続されてもよい。制御ワイヤがアクチュエータによって牽引される場合に、例えば、作業部材の遠位先端がまた牽引され、遠位先端における相対運動が達成されることができる。このような血管内装置の１つの例は、制御ワイヤが牽引される場合に拡張するワイヤメッシュを含んでもよい。別の例は、制御ワイヤが牽引される場合に屈曲するガイドワイヤ先端を含んでもよい。
【０００４】
血管内中空シャフトは、多数の異なる方法で作られることができる。例えば、中空シャフトは、中空の金属チューブ又はワイヤのケーブルから作られてもよい。別の例として、中空シャフトは、ポリテトラフルオロエチレン（ＰＴＦＥ）及びＰＥＢＡＸ（Ａｒｋｅｍａから入手可能）のようなポリマーの層から、或いは強化組紐又はコイルとこのようなポリマーとの組合せで作られてもよい。更に別の例として、血管内シャフトは上記の任意の組合せから作られてもよい。例えば、近位の１００ｃｍ部分は金属チューブから作られてもよく、そして、３０ｃｍのワイヤのＰＴＦＥ被覆ケーブルが接着されることができ、最後に、単一ワイヤコイルが、柔軟な遠位部分を作り出すために接着されることができる。
【０００５】
制御ワイヤは、集合的に制御ケーブルを形成する幾つかのワイヤを含んでもよい。制御ワイヤは、例えば、金属ワイヤ若しくは材料、ポリマー、又は他の材料から作られてもよい。制御ワイヤはまた、上記で列挙された材料と構成要素との組合せから作られてもよく、異なる剛性を有する異なる部分を含んでもよい。１つの例においては、制御ワイヤは、ワイヤの可撓性を達成するためにその遠位部分において研削された単一ワイヤから作られてもよい。
【０００６】
制御ワイヤを組み込んだ血管内装置の構造は、医師が近位アクチュエータ又はハンドルにおける運動を遠位の作業要素に伝達することを可能にすることを支援するように作用する。医師は、患者の目標位置において作動する作業要素と共に、患者の体外でハンドルを制御してもよい。この構造は近位ハンドルから遠位作業要素への軸線方向力の伝達を可能にする一方、細長いシャフトは典型的には丸く中空であり、制御ワイヤは中空であるので、その能力において径方向運動を近位から遠位端部に伝達することが制限される場合がある。
【０００７】
この制限は、例えば、制御ワイヤと細長いシャフトとが遠位端部においてのみ接続されている故に生じる場合がある。結果として、細長いシャフトをその近位部分において回転させることは、シャフトの弾性変形部に伝達された幾らかの径方向トルクに起因して、制御ワイヤの回転を必ずしももたらさない。本開示の例示的な血管内装置においては、固定具が、１：１の比率での制御ワイヤへの細長いシャフトの径方向力の伝達を可能にしてもよい。これは、例えば、制御ワイヤと細長いシャフトとの間の軸線方向回転を、これら２つの部材間の軸線方向運動を妨げることなく妨げることによって達成されてもよい。
【０００８】
制御ワイヤと細長いシャフトとの間の軸線方向回転を、これら２つの部材間の軸線方向運動を妨げることなく妨げることは、例えば、制御ワイヤの少なくとも一部を変形させ、且つ丸形の細長いシャフトの内部断面の少なくとも一部を非丸形にすることによって、それぞれ達成されてもよい。血管内装置の例示的な実施形態によれば、細長いシャフトと比較して制御ワイヤの軸線方向運動中であっても、２つの方形部分の間に重なりがあってもよい。
【０００９】
開示された実施形態は、近位端部及び遠位端部を有し、且つ血管の中への挿入のための大きさである中空シャフトを含む血管内装置を含んでもよい。血管内装置はまた、近位端部及び遠位端部を有し、且つ中空シャフトを通って延伸する制御ラインを含んでもよい。血管内装置はまた、中空シャフトの遠位端部を超えて位置付けられ、且つ制御ラインの遠位端部を介して伝達される作動力を受けるように構成された作動可能な作業要素を含んでもよい。血管内装置は更に、制御ラインの近位端部に作動力を働かせ、それによって制御ラインと中空シャフトとの間に相対運動を生じさせ、且つ作業要素を作動させるように構成されたアクチュエータを含んでもよい。血管内装置はまた、制御ラインと一体であって、且つ中空シャフト内に位置付けられた少なくとも１つの制御ライン回転制限器と、中空シャフト及び作業要素のうちの少なくとも一方に関連し、且つ制御ライン回転制限器と係合し、それによって制御ラインと中空シャフトとの間の相対軸線方向運動を可能にする一方で、制御ラインが作業要素に対して回転することを実質的に妨げるように構成された少なくとも１つの回転制限要素と含んでもよい。
【００１０】
別の実施形態においては、血管内装置の少なくとも１つの制御ライン回転制限器は、制御ラインの少なくとも１つの変形部を含む。少なくとも１つの変形部は、制御ラインの少なくとも１つの平坦化部分を含む。
【００１１】
別の実施形態においては、血管内装置の制御ラインは、少なくとも１つの変形部に隣接する丸形断面の領域を含む。
【００１２】
別の実施形態においては、血管内装置の中空シャフトは、少なくとも１本の巻きワイヤから形成されてもよい。
【００１３】
別の実施形態においては、血管内装置の中空シャフトは、複数のワイヤから形成されたケーブルを含んでもよい。
【００１４】
別の実施形態においては、血管内装置の作業要素は、中空シャフトの遠位端部を超えてコイル状ワイヤ部分から形成された屈曲可能な先端を含む。
【００１５】
別の実施形態においては、血管内装置のコイル状ワイヤ部分は、中空シャフトの可撓性より大きい可撓性を有する。
【００１６】
別の実施形態においては、血管内装置のアクチュエータは制御ハンドルを含み、制御ハンドルは、作業要素における回転力に対して制御ハンドルに働く回転力を約１：１の比率で伝達するように構成される。
【００１７】
別の実施形態においては、血管内装置の少なくとも１つの回転制限要素は、中空シャフト及び作業要素のうちの少なくとも１つ内に少なくとも１つの材料の堆積物を含んでもよく、材料の堆積物は、中空シャフト及び作業要素のうちの少なくとも１つにおけるチャネルの一部を狭める。堆積材料はポリマーであってもよい。
【００１８】
別の実施形態においては、血管内装置の少なくとも１つの回転制限要素は、中空シャフトにおいて第１の回転制限要素と、作業要素のチャネルにおいて第２の回転制限要素とを含んでもよい。
【００１９】
別の実施形態においては、血管内装置の少なくとも１つの回転制限要素は、中空シャフトにおいて第１の回転制限要素と、コイル状ワイヤ部分において第２の回転制限要素とを含んでもよい。
【００２０】
別の実施形態においては、アクチュエータの制御ハンドルは、制御ラインの牽引を可能にし、それによって前記制御ハンドルが回転する場合に、コイル状部分を屈曲させ、且つ屈曲されたコイル状部分に回転トルクを伝達するように構成される。
【００２１】
別の実施形態においては、血管内装置の制御ライン回転制限器及び回転制限要素はそれぞれ、軸線方向に互いに対して運動させた場合に、制御ライン回転制限器及び回転制限要素が係合した状態であるような軸線方向長さを有してもよい。
【００２２】
別の実施形態においては、血管内装置は、ユーザが遠位先端と制御ラインとの間の加えられた相対回転力を制御ハンドルに働かせることを可能にするように構成されてもよく、制御ライン回転制限器及び回転制限要素は、制御ライン回転制限器と回転制限要素との間の実質的な滑りなしに加えられた力を作業要素に伝達するように構成される。
【００２３】
別の実施形態においては、血管内装置の中空シャフトは、中空金属チューブを含み、作業要素は、中空金属チューブより遠位にあるコイル状ワイヤを含む。
【００２４】
別の実施形態においては、血管内装置の中空シャフトは、ポリマーチューブを含み、作業要素は、ポリマーチューブより遠位にあるコイル状ワイヤを含む。
【００２５】
別の実施形態においては、血管内装置の制御ラインは、単一ワイヤから形成され、少なくとも１つの制御ライン回転制限器は、単一ワイヤの断面積において少なくとも１つの変形部を含む。
【００２６】
別の実施形態においては、血管内装置の少なくとも１つの制御ライン回転制限器は、中空シャフト内の制御ラインの細長い領域において少なくとも第１の変形部と、作業要素の細長い領域において制御ラインの少なくとも第２の変形部とを含む。
【００２７】
本明細書に組み込まれてその一部を構成する添付の図面は、開示された実施形態を例示し、その説明と共に、開示された実施形態を説明することに役立つ。
【図面の簡単な説明】
【００２８】
【図１】開示された実施形態のうちの少なくとも１つと一致する、例示的な血管内装置のための制御ワイヤの実例である。
【図２】開示された実施形態のうちの少なくとも１つと一致する、図１の制御ワイヤを有する例示的な血管内装置の実例である。
【図３】開示された実施形態のうちの少なくとも１つと一致する、図２の例示的な血管内装置の一部分の内部断面の実例である。
【図４】開示された実施形態のうちの少なくとも１つと一致する、図２の例示的な血管内装置の一部分の内部断面の実例である。
【図５】開示された実施形態のうちの少なくとも１つと一致する、図２の例示的な血管内装置の一部分の内部断面の実例である。
【図６】開示された実施形態のうちの少なくとも１つと一致する、別の例示的な血管内装置のための制御ワイヤの実例である。
【図７】開示された実施形態のうちの少なくとも１つと一致する、図６の制御ワイヤを有する例示的な血管内装置の実例である。
【図８】開示された実施形態のうちの少なくとも１つと一致する、図７の例示的な血管内装置の一部分の内部断面の実例である。
【図９】開示された実施形態のうちの少なくとも１つと一致する、図７の例示的な血管内装置の一部分の内部断面の実例である。
【図１０】開示された実施形態のうちの少なくとも１つと一致する、図７の例示的な血管内装置の一部分の内部断面の実例である。
【発明を実施するための形態】
【００２９】
図面に現れる注釈は例示にすぎず、主張されるような本発明を限定しない。
【００３０】
次に、本開示の本実施形態（例示的な実施形態）を詳細に参照するが、その例は添付の図面に例示される。
【００３１】
図１は、本開示による例示的な血管内装置の制御ワイヤ１０１を例示し、それは、２つのゾーン１０１−３において変形され、或いは平坦にされてもよく、その軸線１０１−２に沿った他の区域において丸くなってもよい。図２は、本開示による制御ワイヤ１０１を使用する例示的な血管内装置２０１を例示する。（制御ワイヤ１０１が血管内装置２０１の一部であることを理解した上で、血管内装置２０１におけるゾーン１０１−２及び１０１−３の位置を単に例示するために、図２はまた、血管内装置２０１に概して整列されたゾーン１０１−３及び１０１−２と共に、図１の制御ワイヤ１０１を別々に描く。）図２に示されるように、血管内装置２０１はまた、チューブ２０５、ワイヤのケーブル２０６、及び単一ワイヤコイル２０７を含んでもよい細長いシャフト２０４を含んでもよい。細長いシャフト２０４の遠位先端２１０は、例えば、制御ワイヤ１０１に取り付けられてもよい。細長いシャフト２０４の近位端部において、制御ワイヤ１０１は、ハンドル２０９のスライダ２１１に、相対運動を容易にするためにハンドル２０９に接続された細長いシャフト２０４と共に接続されてもよい。（図２においては、ハンドル２０９は、細長いシャフト２０４と同じ縮尺で描かれない。）少なくとも幾つかの実施形態によれば、２つのポリマー２０８が細長いシャフト２０４と制御ワイヤ１０１との間に挿入されて、制御ワイヤ１０１と細長いシャフト２０４との間の径方向運動を妨げてもよい。
【００３２】
図９及び図１０に示される実施形態と一致して、本開示の例示的な血管内装置の少なくとも幾つかの実施形態において、細長いシャフト２０４のワイヤのケーブル２０６及び単一ワイヤコイル２０７は楕円形であってもよい。この楕円形形状は、細長いシャフト２０４と制御ワイヤ１０１との相対回転に抵抗して、装置の捩りを可能にする。或いは、回転に抵抗し、捩ることを可能にするために、本発明と一致する他の非対称形状（例えば、断面）が利用されてもよい。
【００３３】
本開示の例示的な血管内装置の少なくとも幾つかの実施形態は、１：１の比率で制御ワイヤ１０１への細長いシャフト２０４の径方向力の伝達を可能にする固定具を包含してもよい。これは、例えば、制御ワイヤ１０１と細長いシャフト２０４との間の軸線方向運動を妨げることなく、制御ワイヤ１０１と細長いシャフト２０４との間の軸線方向回転を妨げることによって達成されてもよい。また、このような軸線方向回転を妨げることは（軸線方向運動を妨げることなく）、例えば、制御ワイヤ１０１の少なくとも一部を変形させ、且つ丸形の細長いシャフト２０４の内部断面の少なくとも一部を丸くしないことによってそれぞれ達成されてもよい。例えば、細長いシャフト２０４と比較して制御ワイヤ１０１の軸線方向運動中であっても、２つの方形（又は平坦化）部分１０１−３の間に重なりがあってもよい。
【００３４】
少なくとも１つの平坦な又は方形の一部分を有する制御ワイヤ１０１は、例えば、制御ワイヤ１０１を選択的に押圧することによって、非丸形形状を形成するための追加の材料の接着によって、又は他の手段によって達成されてもよい。
【００３５】
非円形の内部断面を達成することは、例えば、細長いシャフト２０４の内部壁に方形形状の材料２０８を取り付けることによって達成されてもよい。別の例として、ポリマー２０８は、非円形断面を作り出すためにワイヤケーブルを介して挿入されてもよい。ポリマー２０８は、加熱され、細長いシャフト２０４の壁の穴を介して挿入され、必要に応じて方形のマンドレルによって成形されてもよい。
【００３６】
例示的な血管内装置２０１の一部分の内部断面Ａ−Ａを例示する図３に示されるように、制御ワイヤ１０１は、０．１４ｍｍのニチノールワイヤから作られてもよい。ワイヤ１０１の遠位先端は、約７０μｍの外径に徐々に研削されてもよい。細長いシャフト２０４は、１０本の７０μｍニチノールワイヤのＰＴＦＥ被覆ケーブルに接合されてもよい０．１８ｍｍの内径を有する１３０ｃｍのニチノールチューブから作られてもよく、遠位部分は、コイル状になってもよい単一の７０μｍワイヤであってもよい。
【００３７】
例示的な血管内装置２０１の一部分の内部断面Ｂ−Ｂを例示する図４に示されるように、制御ワイヤ１０１は、長さ３０ｍｍの約０．１６ｍｍ×０．１２ｍｍの平坦な部分１０１−３を作り出すために押圧されてもよい。方形のマンドレルを使用して、ポリマー２０８が、ワイヤケーブル２０６を介して挿入されて、制御ワイヤ１０１の非円形部分と重なる区域に非円形断面を作り出してもよい。その結果、制御ワイヤ１０１と（ケーブル２０６を含む）細長いシャフト２０４との間の軸線方向回転が妨げられてもよい一方、制御ワイヤ１０１と細長いシャフト２０４との間の相対軸線方向運動が維持されてもよい。
【００３８】
図５は、図４の断面Ｂ−Ｂと同様に、例示的な血管内装置２０１の一部分の内部断面Ｃ−Ｃを例示する。また、結果として、制御ワイヤ１０１と（単一ワイヤコイル２０７を含む）細長いシャフト２０４との間の軸線方向回転が妨げられてもよい一方、制御ワイヤ１０１と細長いシャフト２０４との間の相対軸線方向運動が維持されてもよい。
【００３９】
更なる実施形態においては、図６は、本開示による例示的な血管内装置の制御ワイヤ６０１を例示し、それは、ゾーン６０１−３において変形され、或いは平坦化されてもよく、その軸線６０１−２に沿った他の区域において丸くなってもよい。図７は、本開示による制御ワイヤ６０１を使用する例示的な血管内装置７０１を例示する。（制御ワイヤ６０１が血管内装置７０１の一部であることを理解した上で、血管内装置７０１におけるゾーン６０１−２及び６０１−３の位置を単に例示するために、図７はまた、血管内装置７０１に概して整列されたゾーン６０１−３及び６０１−２と共に、図６の制御ワイヤ６０１を別々に描く。）図７に示されるように、血管内装置７０１はまた、チューブ７０５、ワイヤのケーブル７０６、及び単一ワイヤコイル７０７を含んでもよい細長いシャフト７０４を含んでもよい。細長いシャフト７０４の遠位先端７１０は、例えば、制御ワイヤ６０１に取り付けられてもよい。細長いシャフト７０４の近位端部において、制御ワイヤ６０１は、ハンドル２０９のスライダ２１１に、相対運動を容易にするためにハンドル２０９に接続された細長いシャフト７０４と共に接続されてもよい。（図７においては、ハンドル２０９は、細長いシャフト７０４と同じ縮尺で描かれない。）
【００４０】
図８は、例示的な血管内装置７０１の一部分の内部断面Ｄ−Ｄを例示する。制御ワイヤ６０１は、０．１４ｍｍのニチノールワイヤから作られてもよい。ワイヤ６０１の遠位先端は、約７０μｍの外径に徐々に研削されてもよい。細長いシャフト７０４は、１０本の７０μｍニチノールワイヤのＰＴＦＥ被覆ケーブルに接合されてもよい０．１８ｍｍの内径を有する１３０ｃｍのニチノールチューブから作られてもよく、遠位部分は、コイル状になってもよい単一の７０μｍワイヤであってもよい。
【００４１】
例示的な血管内装置７０１の一部分の内部断面Ｅ−Ｅ及びＦ−Ｆを例示する図９及び図１０に示されるように、制御ワイヤ６０１は、長さ３０ｍｍの約０．１６ｍｍ×０．１２ｍｍの平坦な部分１０１−３を作り出すために押圧されてもよい。上記のように、図９及び図１０においては、細長いシャフト７０４のワイヤのケーブル７０６及び単一ワイヤコイル７０７は楕円形であってもよい。この楕円形形状は、細長いシャフト７０４と制御ワイヤ６０１との相対回転に抵抗して、装置の捩りを可能にする。或いは、回転に抵抗し、捩ることを可能にするために、本発明と一致する他の非対称形状（例えば、断面）が利用されてもよい。
【００４２】
他の実施形態においては、単一ワイヤコイルは、マルチワイヤケーブルから制御ワイヤと共に延伸して設けられてもよく、制御ワイヤは、両方の中心部を通って延びる。これは、マルチワイヤケーブルをそれほど屈曲させることなく、制御ワイヤがコイルのより柔軟なコイル状端部を操縦することを可能にする。
【００４３】
また、例示的な実施形態が本明細書に記載されるが、範囲は、本開示に基づく均等の要素、変更、省略、組合せ（例えば様々な実施形態に亘る態様の）、適合、又は改良を有する任意の及び全ての実施形態を含む。特許請求の範囲における要素は、特許請求の範囲において利用される言語に基づいて広く解釈されるべきであって、本明細書において又は本願の手続中に説明される例に限定されず、例は、非排他的であるとして解釈されるべきである。更に、開示された方法のステップは、ステップを並べ替えること又はステップを挿入若しくは削除することによって含む、任意の方法で変更されることができる。従って、明細書及び例は例としてのみ考慮されるべきであって、真の範囲及び精神は特許請求の範囲及びそれらの均等物の全範囲によって指し示されることが意図される。
【図１】
2019528965.tif 000003
【図２】
2019528965.tif 000004
【図３】
2019528965.tif 000005
【図４】
2019528965.tif 000006
【図５】
2019528965.tif 000007
【図６】
2019528965.tif 000008
【図７】
2019528965.tif 000009
【図８】
2019528965.tif 000010
【図９】
2019528965.tif 000011
【図１０】
2019528965.tif 000012
【国際調査報告】
2019528965.tif 000013
2019528965.tif 000014
2019528965.tif 000015